(57)【要約】  内視鏡システム１は、電源部３９を備えたビデオプロセッサ３と、ビデオプロセッサ３を使用する際のパラメータセットを複数のユーザーアカウント分記憶可能な記憶領域を有するメモリ３５と、ビデオプロセッサ３に設けられたタッチパネル３７と、ビデオプロセッサ３が初期状態となったことが検出されたときにタッチパネル３７に当該ビデオプロセッサ３を使用する際に用いるパラメータセットを選択するためのユーザー設定情報呼び出しボタン７１を含む初期画面を表示させる制御部３１と、を備える。
2017033858.tif 000002
【特許請求の範囲】
【請求項１】
少なくとも内部に設けられた電子デバイスを稼動させる電力を供給するための電源を備えた筐体装置と、
前記筐体装置を使用する際のパラメータセットを複数のユーザーアカウント分記憶可能な記憶領域を有する記憶部と、
前記筐体装置に設けられ、画面を表示する表示部と、
前記筐体装置に設けられ、当該筐体装置が初期状態となったことを検出する初期状態検出部と、
前記筐体装置に設けられ、前記初期状態検出部により前記筐体装置が初期状態となったことが検出されたときに、前記表示部に前記筐体装置を使用する際に用いるパラメータセットを選択するためのユーザー設定情報呼び出しボタンを含む初期画面を表示させる表示制御部と、
を備えたことを特徴とする内視鏡システム。
【請求項２】
前記表示制御部は、前記ユーザー設定情報呼び出しボタンの操作に応じて、前記記憶部に記憶された前記ユーザーアカウントに係る一覧をリスト表示する画面へ遷移するように前記表示部の画面表示を制御する
ことを特徴とする請求項１に記載の内視鏡システム。
【請求項３】
前記表示部は、位置情報入力機能を有するタッチパッド部を備えることを特徴とする請求項２に記載の内視鏡システム。
【発明の詳細な説明】
【技術分野】
【０００１】
本発明は、内視鏡システムに関し、特に、複数のユーザー設定情報を登録可能な内視鏡システムに関するものである。
【背景技術】
【０００２】
従来、医療用分野及び工業用分野において撮像素子を備えた内視鏡が広く用いられている。また、内視鏡に着脱自在に接続され、内視鏡に係る各種信号処理をビデオプロセッサと称する信号処理装置により担い、内視鏡システムを構成する技術も知られるところにある。【０００３】
また、上述の如く各種信号処理を行うビデオプロセッサにおいては、ユーザーごとに画像処理に係る各種パラメータを設定し登録する機能を有するものも知られている。具体的には例えば、接続される内視鏡における電子シャッタースピード、測光エリア、調光感度の他、観察モード（通常光観察モード、ＮＢＩ観察モード等）ごとの内視鏡画像の調整（画像の明るさ、色調、彩度、コントラスト他）等の各種パラメータを、ユーザーごとに設定し、登録する機能を備えるビデオプロセッサが知られている。【０００４】
ここで、上述の如くユーザーごとに各種パラメータの設定・登録機能を有するビデオプロセッサにおいて、登録されたユーザー設定のうち任意のユーザー設定を呼び出す際には何らかの操作を要することになる。【０００５】
具体的には、例えば、日本国特許第４５７５０４２号明細書に記載のビデオプロセッサにおいては、
(1) まず、キーボードの「設定キー」を押下
(2) 表示画面上に「各種設定一覧」が表示され、このうち、登録されたユーザーを呼び出すための「設定ボタン」を選択して押下
(3) 「ユーザー設定リスト」が表示されるので、呼び出したい「ユーザーボタン」を選択
(4) 選択されたユーザーを呼び出すための「呼び出しボタン」を押下
これらの操作により、登録されたユーザーに係る設定が呼び出されることとなる。【０００６】
ところで、登録されたユーザー設定の選択操作は、内視鏡システムの使用開始前（検査開始前）に速やかに行われることが望まれる。しかしながら、上述した日本国特許第４５７５０４２号明細書に係るユーザー設定の呼び出し操作においては、ユーザー設定をするための「ユーザー設定リスト」の選択画面にたどり着くために複数回操作をする必要があるため煩雑であった。【０００７】
換言すれば、カーソル移動含めた操作ステップが多く、登録されたユーザー設定を簡単に呼び出せないという不都合が生じていた。【０００８】
本発明は上述した事情に鑑みてなされたものであって、予め登録されたユーザー設定を容易に呼び出すことのできる内視鏡システムを提供することを目的とする。
【発明の開示】
【課題を解決するための手段】
【０００９】
本発明の一態様の内視鏡システムは、少なくとも内部に設けられた電子デバイスを稼動させる電力を供給するための電源を備えた筐体装置と、前記筐体装置を使用する際のパラメータセットを複数のユーザーアカウント分記憶可能な記憶領域を有する記憶部と、前記筐体装置に設けられ、画面を表示する表示部と、前記筐体装置に設けられ、当該筐体装置が初期状態となったことを検出する初期状態検出部と、前記筐体装置に設けられ、前記初期状態検出部により前記筐体装置が初期状態となったことが検出されたときに、前記表示部に前記筐体装置を使用する際に用いるパラメータセットを選択するためのユーザー設定情報呼び出しボタンを含む初期画面を表示させる表示制御部と、を備える。
【図面の簡単な説明】
【００１０】
【図１】図１は、本発明の第１の実施形態にかかる内視鏡システムの概略構成を示す斜視図である。
【図２】図２は、第１の実施形態にかかる内視鏡システムの要部の機能構成を示すブロック図である。
【図３】図３は、第１の実施形態にかかる内視鏡システムのビデオプロセッサにおけるタッチパネルの一表示例を示した図である。
【図４】図４は、第１の実施形態にかかる内視鏡システムのタッチパネルにおける状態表示部領域を示した図である。
【図５】図５は、第１の実施形態にかかる内視鏡システムのタッチパネルにおける機能分類切り替え表示部領域を示した図である。
【図６】図６は、第１の実施形態にかかる内視鏡システムのタッチパネルにおける機能操作部領域を示した図である。
【図７】図７は、第１の実施形態にかかる内視鏡システムのタッチパネルにおいてユーザー設定選択リストの一例を示した図である。
【図８】図８は、第１の実施形態にかかる内視鏡システムのタッチパネルにおいてユーザー設定を呼び出す過程における一画面例を示した図である。
【図９】図９は、第１の実施形態にかかる内視鏡システムのタッチパネルにおいてユーザー設定を呼び出した際の一画面例を示した図である。
【図１０】図１０は、本発明の第２の実施形態にかかる内視鏡システムのビデオプロセッサにおけるタッチパネルの一表示例を示した図である。
【図１１】図１１は、本発明の第３の実施形態にかかる内視鏡システムのビデオプロセッサにおけるタッチパネルの一表示例を示した図である。
【図１２】図１２は、第３の実施形態にかかる内視鏡システムのタッチパネルにおいてホームボタン、画像閲覧ボタン、設定ボタンをそれぞれ押下した際の当該タッチパネルの表示例を示した図である。
【図１３】図１３は、本発明の第４の実施形態にかかる内視鏡システムのビデオプロセッサにおけるタッチパネルの一表示例を示した図である。
【図１４】図１４は、第４の実施形態にかかる内視鏡システムのビデオプロセッサにおけるタッチパネルの他の表示例を示した図である。
【図１５】図１５は、本発明の第５の実施形態にかかる内視鏡システムのビデオプロセッサにおけるタッチパネルの一表示例を示した図である。
【図１６】図１６は、本発明の第６の実施形態にかかる内視鏡システムにおけるビデオプロセッサおよび観察モニタを示した図である。
【図１７】図１７は、第６の実施形態にかかる内視鏡システムのビデオプロセッサにおけるタッチパネルの所定操作により観察モニタの表示が変化する様子を示した図である。
【発明を実施するための最良の形態】
【００１１】
以下、図面を参照して本発明の実施の形態を説明する。  
また、この実施の形態により、この発明が限定されるものではない。さらに、図面の記載において、同一部分には同一の符号を付している。さらにまた、図面は、模式的なものであり、現実と異なることに留意する必要がある。また、図面の相互間においても、互いの寸法や比率が異なる部分が含まれている。【００１２】
＜第１の実施形態＞
図１は、本発明の第１の実施形態にかかる内視鏡システムの概略構成を示す斜視図であり、図２は、第１の実施形態にかかる内視鏡システムの要部の機能構成を示すブロック図である。【００１３】
図１に示すように、内視鏡システム１は、被検体の体腔内管腔に先端部を挿入することによって被写体の体内画像を撮像し当該被写体像の画像信号を出力する内視鏡２と、内視鏡２から出力される画像信号に対して所定の画像処理を施すとともに内視鏡２の先端から出射するための照明光を発生する光源機能を備え、さらに内視鏡システム１全体の動作を統括的に制御するビデオプロセッサ３と、ビデオプロセッサ３において画像処理が施された画像を表示する観察モニタ４と、ビデオプロセッサ３に接続され操作指示または文字情報等の入力を行うためのキーボード５と、を主に有して構成される。【００１４】
なお、本実施形態の内視鏡システム１は、ビデオプロセッサ３が上述した光源機能を備えるものとしたが、これに限らず、当該光源機能を有する光源装置をビデオプロセッサ３に対して別体の構成としてもよい。また、本実施形態では、内視鏡システム１としてとして同時式を採用する構成を例に説明するが、本発明は面順次であっても適用することができる。【００１５】
内視鏡２は、可撓性を有する細長形状をなす挿入部１６と、当該挿入部１６の先端部に設けられ、被検体を撮像する撮像素子１１と、挿入部先端へ照明光を導くライトガイド１２と、内視鏡２の操作を行う操作部に設けられた操作スイッチ１３と、ビデオプロセッサ３における光源コネクタ２３と接続するためのコネクタ部１４と、当該コネクタ部１４から延設され、当該ビデオプロセッサ３におけるコネクタ３２と接続するための電気コネクタ１５と、を有している。【００１６】
なお、内視鏡２は、外科手術に用いられるいわゆる硬性内視鏡であってもよい。また、撮像素子１１は、本実施形態においては、ＣＭＯＳ（Complementary Metal Oxide Semiconductor）イメージセンサを採用するが、ＣＣＤイメージセンサであってもよい。さらに撮像素子１１は、本実施形態においては挿入部先端部に設けられているが、これに限定されるものではなく、例えば、操作スイッチ１３が設けられている操作部内に設けられ、挿入部先端部から操作部内の撮像素子１１までイメージガイドファイバで光学像を伝送する構成であってもよい。【００１７】
また、本実施形態では、ビデオプロセッサ３は、内視鏡２が接続される構成になっているが、これに限定されることなく、体腔内に挿入される光学式内視鏡（ファイバースコープあるいは外科手術用の光学視管）の接眼部に装着されるカメラヘッドが接続される構成であってもよい。【００１８】
さらに、本実施形態では、内視鏡２及びビデオプロセッサ３は、電気コネクタ１５及びコネクタ３２により接続され、電気信号を有線で伝送する構成になっているが、これに限定されることなく、電気信号を無線で伝送する構成であってもよい。【００１９】
信号処理装置としてのビデオプロセッサ３は、内視鏡２の電気コネクタ１５と接続されるコネクタ３２と、内視鏡システム１全体の動作を統括的に制御する制御部３１と、制御部３１に接続され各種情報を記憶するメモリ３５と、コネクタ３２を介して入力した撮像素子１１からの撮像信号に対して所定の信号処理を施す映像処理部３３と、観察モニタ４に表示する文字情報における文字サイズの変更等を行う表示コントローラ３６と、映像処理部３３から出力される映像信号に表示コントローラ３６からの文字情報を重畳する重畳回路３４と、各種操作及び設定を行うためのタッチパネル３７と、少なくともビデオプロセッサ３内における各回路部を稼動させる電力を供給するための電源部３９と、を有して構成されている。【００２０】
制御部３１は、内視鏡システム１全体の動作を統括的に制御するＣＰＵであり、ビデオプロセッサ３に接続される内視鏡２における撮像素子１１の制御の他、当該ビデオプロセッサ３が初期状態となったことを検出する初期状態検出部としての機能を有する。【００２１】
また、制御部３１は、ビデオプロセッサ３が初期状態となったことを検出した際に、表示部である前記タッチパネル３７に初期画面を表示させる表示制御部としての機能も果たす。【００２２】
電源部３９は、ビデオプロセッサ３内における上述した各回路部等の電子デバイスの他、当該ビデオプロセッサ３に接続される内視鏡２における各回路部等の電子デバイスを稼動させる電力を供給するための電源としての機能を果たす。【００２３】
映像処理部３３は、撮像素子１１からの映像信号に対して所定の画像処理、すなわち、ノイズリダクション処理、ホワイトバランス処理、色補正等の処理を施し、得られた映像信号を重畳回路３４に向けて出力する。【００２４】
メモリ３５は、半導体メモリを用いて実現され、ビデオプロセッサ３および内視鏡２を含む内視鏡システム１を動作させるための各種プログラム、および内視鏡システム１の動作に必要な各種パラメータセット等を含むデータを記憶する。【００２５】
なお、パラメータセットとは、本実施形態においてはユーザーごとに設定される、例えば画像処理に係る各種パラメータ等の組み合わせである。そしてメモリ３５は、複数のユーザーアカウント分記憶可能な記憶領域としての役目を果たす（詳しくは後述する）。【００２６】
表示コントローラ３６は、制御部３１の制御下に、観察モニタ４にいわゆるＯＳＤ（On-screen display）として表示する所定の文字情報を重畳回路３６に出力する。このとき、表示コントローラ３６は、制御部３１の制御に基づいて、文字情報のサイズを変更して重畳回路３４に出力する。【００２７】
たとえば、ユーザーが内視鏡２の操作スイッチ１３を操作（押下）すると、操作信号が制御部３１に供給される。制御部３１は、この操作信号が入力されると、文字情報のサイズを変更するように表示コントローラ３６を制御する。【００２８】
画像生成部としての重畳回路３４は、映像処理部３３からの映像信号（内視鏡画像）に表示コントローラ３６からの文字情報を重畳した内視鏡検査画像を生成し、観察モニタ４に出力する。これにより、観察モニタ４には所定の内視鏡検査画像が表示される。【００２９】
本実施形態においては、ビデオプロセッサ３は、内視鏡２の先端から出射するための照明光を発生する光源機能を備える。すなわち、ビデオプロセッサ３は、照明光を生成する光源２１と、制御部３１に制御され、光源２１を駆動する光源ドライバー３８と、光源２１からの照明光をライトガイド１２の入射端面に集光させる集光レンズ２２と、を有する。【００３０】
光源２１は、白色ＬＥＤ（Light  Emitting  Diode）またはキセノンランプ等を用いて構成され、光源ドライバー３８に駆動制御のもと、白色光を発生する。【００３１】
光源ドライバー３８は、光源２１に対して電流を供給することにより、光源２１に白色光を発生させる。光源２１が発生した光は、集光レンズ２２およびライトガイド１２を経由して内視鏡２の挿入部先端部の先端から照射される。【００３２】
観察モニタ４は、映像ケーブルを介してビデオプロセッサ３が生成した体内画像をビデオプロセッサ３から受信して表示する機能を有し、液晶または有機ＥＬ（Electro Lumines cence ）等を用いて構成される。【００３３】
キーボード５は、ビデオプロセッサ３に接続され、所定の操作指示または文字情報等の入力を行う機能を有する。【００３４】
＜タッチパネルにおけるメニュー画面についての説明＞
図３は、第１の実施形態にかかる内視鏡システムのビデオプロセッサにおけるタッチパネルの一表示例を示した図である。また、図４は、当該タッチパネルにおける状態表示部領域を、図５は、同タッチパネルにおける機能分類切り替え表示部領域を、図６は、同タッチパネルにおける機能操作部領域を、それぞれ示した図である。【００３５】
上述したようにビデオプロセッサ３は、筐体装置本体の前面にタッチパネル３７を配設する。このタッチパネル３７は、液晶パネルによる表示部とタッチパッドによる位置情報入力部とにより構成され、後述するような制御部３１の制御下に各種操作および設定を行うようになっている。【００３６】
なお、タッチパネル３７は、本実施形態においてはいわゆる静電容量方式を採用するものとするが、これに限らず、いわゆる抵抗膜方式により構成されてもよい。【００３７】
図４、図５、図６に示すように、タッチパネル３７の表示画面は、状態表示部領域５１と、機能分類切替表示部領域５２と、機能操作部領域５３と、ホームボタン５４、画像閲覧ボタン５５、設定ボタン５６と、を配設する。【００３８】
図４に示すように、状態表示部領域５１は、現在表示されている画面名、または、当該ビデオプロセッサ３の状態がアイコン等により表示される領域である。図４においては、現在表示されている画面が「メイン」画面であることを示している。【００３９】
図５に示すように、機能分類切替表示部領域５２は、種々の操作機能を切り替えて表示するための複数のボタンを分類して表示する領域であり、本実施形態においては、メインボタン６１、観察・記録ボタン６２、色・明るさボタン６３、文字・表示ボタン６４、準備・完了ボタン６５が配置されている。【００４０】
メインボタン６１は、押下操作（タッチ操作）することより、「メイン」画面を表示するものである。このメイン画面は、種々の機能のうち、使用頻度の高い機能を分類して表示する画面である。【００４１】
観察・記録ボタン６２は、押下操作（タッチ操作）することより、「観察・記録」画面を表示するものである。この観察・記録画面は、種々の機能のうち、観察・記録に関する機能を分類して表示する画面である。【００４２】
色・明るさボタン６３は、押下操作（タッチ操作）することより、「色・明るさ」画面を表示するものである。この色・明るさ画面は、種々の機能のうち、色・明るさに関する機能を分類して表示する画面である。【００４３】
文字・表示ボタン６４は、押下操作（タッチ操作）することより、「文字・表示」画面を表示するものである。この文字・表示画面は、種々の機能のうち、観察モニタ４に表示する文字情報、または、ビデオプロセッサ３に接続されるカメラヘッドの情報に関する機能を分類して表示する画面である。【００４４】
準備・完了ボタン６５は、押下操作（タッチ操作）することより、「準備・完了」画面を表示するものである。この準備・完了画面は、種々の機能のうち、準備または検査終了の際に使用する機能を分類して表示する画面である。【００４５】
図６に示すように、機能操作部領域５３は、各種の機能を操作するためのボタン（機能操作ボタン）等を表示する画面であり、これら各種の機能操作ボタン群は、機能分類切替表示部領域５２における各ボタンの押下操作（タッチ操作）等により切り替わるようになっている。【００４６】
なお、当該ビデオプロセッサ３が初期状態（例えば、電源投入直後）となったことを前記制御部３１が検出した際に、制御部３１の制御により当該タッチパネル３７には初期画面が表示される。図６は、その初期画面の一例を示したものである。【００４７】
本実施形態においては、図６に示すように、タッチパネル３７には使用頻度の高い機能を分類して表示する「メイン」画面を初期画面として表示する。さらに、本実施形態においては、初期画面としてのメイン画面における機能操作部領域５３の一部に、ビデオプロセッサ３を使用する際に用いるパラメータセットを選択するためのユーザー設定情報呼出ボタン７１を配置することを特徴とする。【００４８】
一方、図６に示すように、機能操作部領域５３の側方には、ホームボタン５４、画像閲覧ボタン５５、設定ボタン５６が配設される。【００４９】
ホームボタン５４は、押下操作（タッチ操作）することにより、内視鏡検査中に使用する画面が表示されるようになっている。【００５０】
画像閲覧ボタン５５は、押下操作（タッチ操作）することにより、内視鏡検査後のデータ整理を含め、画像閲覧に供する画面が表示されるようになっている。【００５１】
設定ボタン５６は、押下操作（タッチ操作）することにより、ユーザー設定、メンテナンス、システム設定を行う画面が表示されるようになっている。【００５２】
ここで、本実施形態においては、複数のユーザーごとに例えば、画像処理に係る各種パラメータ等の組み合わせであるパラメータセットを設定し登録することができるようになっている。例えば、前記設定ボタン５６を操作することにより、これら複数のユーザーごとのパラメータセットを設定し登録することができるようになっている。【００５３】
この際、ユーザーごとに設定されるパラメータセットのデータは、制御部３１の制御下にメモリ３５に記憶されるようになっている。なお、パラメータとしては、接続される内視鏡２における電子シャッタースピード、測光エリア、調光感度の他、観察モード（通常光観察モード、ＮＢＩ観察モード等）ごとの内視鏡画像の調整（画像の明るさ、色調、彩度、コントラスト他）等の各種パラメータが挙げられる。【００５４】
以下、本実施形態の説明においては、上述した設定操作により、予めユーザーごとのパラメータセットが登録されていることを前提に説明を続けるものとする。【００５５】
図６に戻って、ユーザー設定情報呼出ボタン７１の近傍には、現在選択されているユーザー名を表示するユーザー表示部７２が配置される。いま、ユーザー表示部７２には、“０１：Ｕｓｅｒ０１”と表示され、これは、“ユーザー０１”が選択されていることを示している。【００５６】
さらに、このとき機能操作部領域５３には、選択された“ユーザー０１”に応じた機能操作部が表示されている。すなわち、予め設定・登録された“ユーザー０１”に係るパラメータセットに応じて、例えば、照明ランプ、ホワイトバランス、明るさ調整の状態等に係る機能操作部が表示されている。【００５７】
次に、使用者が例えば、登録されている別のユーザーに係る設定を呼び出す際の手順を説明する。【００５８】
図７は、第１の実施形態にかかる内視鏡システムのタッチパネルにおいてユーザー設定選択リストの一例を示した図である。また、図８は、同タッチパネルにおいてユーザー設定を呼び出す過程における一画面例を示した図であり、図９は、同タッチパネルにおいてユーザー設定を呼び出した際の一画面例を示した図である。【００５９】
本実施形態においては、使用者はタッチパネル３７のメイン画面に表示されているユーザー設定情報呼出ボタン７１を押下操作（タッチ操作）することで、他のユーザー設定を呼び出すための画面に遷移することができる。【００６０】
すなわち、ユーザー設定情報呼出ボタン７１が操作されると、図７に示すようにタッチパネル３７の表示画面には、現在登録されているユーザー設定選択リスト５８が表示される。【００６１】
ここで、ユーザー設定選択リスト５８より、図７に示すように、“ユーザー０２”を選択するための“０２：Ｕｓｅｒ０２”ボタン７３が押下操作されると、図８に示す確認画面が表示され、確認ボタン７４の押下操作の後、図９に示すように、機能操作部領域５３には、選択された“ユーザー０２”に応じた機能操作部が表示されるようになっている。【００６２】
また、ユーザー表示部７２には、現在選択されているユーザー名、すなわちいまの場合“ユーザー０２”を示す “０２：Ｕｓｅｒ０２”が表示される。【００６３】
このように、本実施形態によると、予め設定登録されているユーザー設定を呼び出す際に、従来の如く煩雑な操作を要することなく、容易に呼び出すことのできるという効果を奏する。【００６４】
なお、本実施形態においては、図８に示すようにユーザー設定を呼び出す過程において使用者に確認を促す確認画面を設けたが、この確認操作を省くように予め設定されるようにしてもよい。【００６５】
この確認画面を省くことにより、ユーザー設定選択リスト５８から任意のユーザー設定を選択した際に、より早く予め設定登録されているユーザー設定を呼び出すことができる。【００６６】
＜第２の実施形態＞
次に、本発明の第２の実施形態について説明する。【００６７】
図１０は、本発明の第２の実施形態にかかる内視鏡システムのビデオプロセッサにおけるタッチパネルの一表示例を示した図である。【００６８】
本第２の実施形態の内視鏡システムは、その構成は基本的には第１の実施形態と同様であるので、ここでは第１の実施形態との差異のみの説明にとどめ、その他の詳細の説明は省略する。【００６９】
第１の実施形態においては、ビデオプロセッサ３におけるタッチパネル３７の機能操作部領域５３に、ユーザー設定情報呼出ボタン７１およびユーザー表示部７２を設け、当該ユーザー設定情報呼出ボタン７１の押下操作により、ユーザー設定選択リスト５８を表示する画面に遷移し（図７参照）、このユーザー設定選択リスト５８から任意のユーザー設定を選択し、予め設定登録されているユーザー設定を呼び出すようにした。【００７０】
これに対し本第２の実施形態に係るビデオプロセッサ３では、タッチパネル３７の機能操作部領域５３において、上述したユーザー設定情報呼出ボタン７１およびユーザー表示部７２の代わりに、ユーザー設定を直接呼び出すためのユーザー設定呼出ボタン７５を設けたことを特徴とする。【００７１】
このユーザー設定呼出ボタン７５は、図１０に示すように、複数のボタン７５a、７５ｂ、７５ｃにより構成され、これらボタン７５a、７５ｂ、７５ｃは、それぞれ予め設定登録された各ユーザーに対応する。【００７２】
いま図１０においては、予め登録されたユーザー設定のうち、“ユーザー０１”に対応する“０１：Ｕｓｅｒ０１”ボタン７５a、“ユーザー０２”に対応する“０２：Ｕｓｅｒ０２”ボタン７５ｂ、“ユーザー０３”に対応する“０３：Ｕｓｅｒ０３”ボタン７５ｃが表示されており、いずれかのボタンを押下操作することにより、対応するユーザー設定が呼び出され、表示されるようになっている。【００７３】
このように、本第２の実施形態によると、予め設定登録されているユーザー設定を呼び出す際に、さらに容易に呼び出すことができるという効果を奏する。【００７４】
＜第３の実施形態＞
次に、本発明の第３の実施形態について説明する。【００７５】
図１１は、本発明の第３の実施形態にかかる内視鏡システムのビデオプロセッサにおけるタッチパネルの一表示例を示した図であり、図１２は、第３の実施形態にかかる内視鏡システムのタッチパネルにおいてホームボタン、画像閲覧ボタン、設定ボタンをそれぞれ押下した際の当該タッチパネルの表示例を示した図である。【００７６】
本第３の実施形態の内視鏡システムは、その構成は基本的には第１の実施形態と同様であるので、ここでは第１の実施形態との差異のみの説明にとどめ、その他の詳細の説明は省略する。【００７７】
従来、信号処理装置であるビデオプロセッサには多くの機能、設定項目があり、それらを目的に応じて選択実行できるようになっている。これら機能、設定のうち多くの機能、設定は一旦メニューを開き、いくつかの階層を経て目的の状態に到達する必要があった。換言すれば、多くの操作ステップを要し、目的に応じた機能、設定を検索することも困難であった。【００７８】
本第３の実施形態の内視鏡システムは、係る事情に鑑み、ビデオプロセッサ３が有する機能、設定を使用場面に応じて分類し、その使用場面に対応する選択ボタンを設け、場面に応じた機能、設定の選択を容易にしたことを特徴とする。【００７９】
図１１に示すように、本実施形態のタッチパネル３７の表示画面は、状態表示部領域５１、機能分類切替表示部領域５２および機能操作部領域５３の他に、機能操作部領域５３の側方に、ホームボタン５４、画像閲覧ボタン５５、設定ボタン５６を配設する。【００８０】
図１２に示すように、ホームボタン５４は、押下操作（タッチ操作）することにより、内視鏡検査中に使用する画面３７Ａを表示するようになっている。【００８１】
また、画像閲覧ボタン５５は、押下操作（タッチ操作）することにより、内視鏡検査後のデータ整理を含め、画像閲覧に供する画面３７Ｂを表示するようになっている。【００８２】
さらに、設定ボタン５６は、押下操作（タッチ操作）することにより、ビデオプロセッサ３の設置の際、または、検査前における各種設定（例えば、ユーザー設定、メンテナンス、システム設定）を行う画面３７Ｃが表示されるようになっている。【００８３】
本第３の実施形態の内視鏡システムによると、使用場面に応じた機能、設定の選択を容易にすることができる。【００８４】
＜第４の実施形態＞
次に、本発明の第４の実施形態について説明する。【００８５】
図１３は、本発明の第４の実施形態にかかる内視鏡システムのビデオプロセッサにおけるタッチパネルの一表示例を示した図であり、図１４は、第４の実施形態にかかる内視鏡システムのビデオプロセッサにおけるタッチパネルの他の表示例を示した図である。【００８６】
本第４の実施形態の内視鏡システムは、その構成は基本的には第１の実施形態と同様であるので、ここでは第１の実施形態との差異のみの説明にとどめ、その他の詳細の説明は省略する。【００８７】
従来、ビデオプロセッサまたは光源装置にはそのフロントパネルに、現在の状態を視覚的に示す、例えばＬＥＤ等の表示機能を備えるものがあり、これらの表示機能により機器の状態を把握することができるようなっていた。【００８８】
一方で、近年、ビデオプロセッサ等の機器のなかには、機器の操作表示デバイスとしてタッチパネルをその筐体の前面部に配設する例が知られるようになっている。【００８９】
このタッチパネルを採用する機器の場合、そのＧＵＩの自由度の高さから多くの機能を容易に表示することができる一方で、従来においては、上述したように現在の機器の状態を視覚的に示す表示機能を“常時”示すようには設定されていなかった。【００９０】
本第４の実施形態の内視鏡システムは、係る事情に鑑み、ビデオプロセッサ３が有するタッチパネル３７の表示画面上に、逐次変化する他の画面に拠らず、現在の機器の状態を“常時”示す領域を設けることを特徴とする。【００９１】
図１３に示すように、本第４の実施形態においては、タッチパネル３７の表示画面における状態表示部領域５１の一部に、現在の機器の状態を“常時”示す領域を配設する。【００９２】
具体的に、いま、ビデオプロセッサ３がＮＢＩ観察モードに設定にされ、かつ、当該ＮＢＩ観察モードにより現在検査が行われているとする。【００９３】
このとき、ホームボタン５４が押下操作され、図１３に示すように、タッチパネル３７の表示画面としてメイン画面が表示されている場合においては（タッチパネル３７Ａとする）、状態表示部領域５１における右側部に、ビデオプロセッサ３がＮＢＩ観察モードに設定にされていることを示すＮＢＩ観察モードマーク８１と、当該ＮＢＩ観察モードにより現在検査が行われていることを示す検査中マーク８２と、が表示されるようになっている。【００９４】
一方、画像閲覧ボタン５５が押下操作され、図１４に示すように、タッチパネル３７の表示画面として画像閲覧画面が表示されている場合（タッチパネル３７Ｂとする）、機能操作部領域５３に相当する領域は、画像閲覧に係る所定の画面が表示されるが、状態表示部領域５１における右側部には、図１３におけるメイン画面表示時と同様に、ビデオプロセッサ３がＮＢＩ観察モードに設定にされていることを示すＮＢＩ観察モードマーク８１と、当該ＮＢＩ観察モードにより現在検査が行われていることを示す検査中マーク８２と、が表示されるようになっている。【００９５】
本第４の実施形態の内視鏡システムによると、ビデオプロセッサ３が有するタッチパネル３７の表示画面上に、逐次変化する他の画面に拠らず、現在の機器の状態を“常時”示すことができる。【００９６】
＜第５の実施形態＞
次に、本発明の第５の実施形態について説明する。【００９７】
図１５は、本発明の第５の実施形態にかかる内視鏡システムのビデオプロセッサにおけるタッチパネルの一表示例を示した図である。【００９８】
本第５の実施形態の内視鏡システムは、その構成は基本的には第１の実施形態と同様であるので、ここでは第１の実施形態との差異のみの説明にとどめ、その他の詳細の説明は省略する。【００９９】
従来、信号処理装置であるビデオプロセッサには多くの機能を備え、また、ビデオプロセッサに接続される操作用キーボードには、これらの機能に対応する機能キーが用意されていた。【０１００】
一方で、上述したように、近年、ビデオプロセッサ等の機器のなかには、機器の操作表示デバイスとしてタッチパネルをその筐体の前面部に配設する例が知られるようになっており、このタッチパネルを採用する機器の場合、そのＧＵＩの自由度の高さから多くの機能を容易に表示することができる一方で、表示領域の都合上、階層構造のメニューとなるため、所望の機能にたどり着くためには多くの操作ステップを要することになっていた。【０１０１】
本第５の実施形態の内視鏡システムは、係る事情に鑑み、ビデオプロセッサ３におけるタッチパネル３７に最初に表示される最上位画面に任意の機能ボタンを設け、場面に応じた機能の選択を容易にしたことを特徴とする。【０１０２】
図１５に示すように、本第５の実施形態においては、タッチパネル３７の表示画面における機能操作部領域５３に、機能を任意に割り当てることができるカスタムボタンを配設可能な領域を設ける。【０１０３】
すなわち、図１５に示すように、初期画面として表示可能なメイン画面における機能操作部領域５３の下側部に、ユーザー設定により設定した任意の「機能」を割り当てることができるカスタムボタン９１〜９４を設ける。【０１０４】
具体的に本実施形態においては、カスタムボタン９１として“患者情報入力ボタン”を、カスタムボタン９２として“ＮＢＩ観察モード設定ボタン”を、カスタムボタン９３として“調光方式設定ボタン”を、カスタムボタン９４として“検査終了ボタン”を、それぞれ割り当てる。【０１０５】
本第５の実施形態の内視鏡システムによると、初期状態の表示画面に所望の機能ボタンを配設することができるので、操作ステップを減らすことができる。【０１０６】
＜第６の実施形態＞
次に、本発明の第６の実施形態について説明する。【０１０７】
図１６は、本発明の第６の実施形態にかかる内視鏡システムにおけるビデオプロセッサおよび観察モニタを示した図であり、図１７は、第６の実施形態にかかる内視鏡システムのビデオプロセッサにおけるタッチパネルの所定操作により観察モニタの表示が変化する様子を示した図である。【０１０８】
本第６の実施形態の内視鏡システムは、その構成は基本的には第１の実施形態と同様であるので、ここでは第１の実施形態との差異のみの説明にとどめ、その他の詳細の説明は省略する。【０１０９】
従来、ビデオプロセッサにおけるタッチパネル上で所定の機能に係る操作を実行する際、例えば、観察モニタ４に表示される色調を変更すべく、タッチパネルに表示された設定値を変更する操作を行う場合、当該変更した設定値を保存する操作を行わないと当該変更した設定値が機器に反映されないことから、保存操作のたびに設定値変更画面から抜けてしまうという不都合があった。【０１１０】
本第６の実施形態の内視鏡システムは、係る事情に鑑み、ビデオプロセッサ３におけるタッチパネル３７において所定の設定値変更操作を行う際、この設定値の変更結果がリアルタイムに対応する諸回路に反映されることを特徴とする。【０１１１】
図１６に示すように、ビデオプロセッサ３には観察モニタ４が接続され、例えば、本実施形態においては、観察モニタ４に表示される内視鏡画像における色調をビデオプロセッサ３におけるタッチパネル３７の操作によって任意の設定値に変更することができる。【０１１２】
具体的にいま、通常光観察モードが選択されており、観察モニタ４に表示される内視鏡画像４１Ａの色調がデフォルト状態であるとする。ここでユーザー設定として記憶されているパラメータセットのうち、内視鏡画像４１Ａの赤色の色調を変更する場合、使用者はタッチパネル３７における設定ボタン５６の押下操作により変更操作を行いたいユーザーアカウントを呼び出して色調設定の編集を行う。【０１１３】
この編集操作に際して、タッチパネル３７の表示画面には、図１７の下段に示すような色調設定画面が表示される。なお、内視鏡画像４１Ａの色調はデフォルト状態であるので、色調設定画面上、赤色の色調の設定値は“０”であり、設定値表示部１０２には“０”が表示される（図１７下段左側のタッチパネル３７の表示画面参照）。【０１１４】
この後使用者は、赤色の色調の設定値を増加すべくプラス／マイナスボタン１０１をプラス側に操作すると、図１７下段右側のタッチパネル３７の表示画面に示すように、設定値表示部１０２には“＋１”が表示され、設定値が増加する。【０１１５】
そして本実施形態においては、このプラス／マイナスボタン１０１の操作に応じて、ビデオプロセッサ３における映像処理部３３が制御部３１により制御され、入力した映像信号の色調を変更する処理を施す。【０１１６】
これに伴い、観察モニタ４に表示される内視鏡画像もリアルタイムに色調が変化することとなり、すなわち、いまの場合赤色の色調が変化した新たな内視鏡画像４１Ｂが表示されることとなる。【０１１７】
そして、この操作により、内視鏡画像４１Ｂがユーザー所望の色調に変更されると、変更されたパラメータを保存し、編集を終了する。【０１１８】
本第６の実施形態の内視鏡システムによると、ビデオプロセッサ３におけるタッチパネル３７において所定の設定値変更操作を行う際、この設定値の変更結果がリアルタイムに対応する諸回路に反映され、設定値変更・編集作業が容易となる。【０１１９】
本発明によれば、予め登録されたユーザー設定を容易に呼び出すことのできる内視鏡システムを提供することができる。【０１２０】
本発明は、上述した実施形態に限定されるものではなく、本発明の要旨を変えない範囲において、種々の変更、改変等が可能である。【０１２１】
本出願は、２０１５年８月２７日に日本国に出願された特願２０１５−１６８０２７号を優先権主張の基礎として出願するものであり、上記の開示内容は、本願明細書、請求の範囲に引用されるものとする。
【図１】
2017033858.tif 000003
【図２】
2017033858.tif 000004
【図３】
2017033858.tif 000005
【図４】
2017033858.tif 000006
【図５】
2017033858.tif 000007
【図６】
2017033858.tif 000008
【図７】
2017033858.tif 000009
【図８】
2017033858.tif 000010
【図９】
2017033858.tif 000011
【図１０】
2017033858.tif 000012
【図１１】
2017033858.tif 000013
【図１２−１】
2017033858.tif 000014
【図１２−２】
2017033858.tif 000015
【図１２−３】
2017033858.tif 000016
【図１２−４】
2017033858.tif 000017
【図１３】
2017033858.tif 000018
【図１４】
2017033858.tif 000019
【図１５】
2017033858.tif 000020
【図１６−１】
2017033858.tif 000021
【図１６−２】
2017033858.tif 000022
【図１７】
2017033858.tif 000023
【手続補正書】
【提出日】平成29年3月16日(2017.3.16)
【手続補正１】
【補正対象書類名】明細書
【補正対象項目名】０００９
【補正方法】変更
【補正の内容】
【０００９】
本発明の一態様の内視鏡システムは、ユーザー毎に各種パラメータの設定を登録する機能を有する内視鏡システムにおいて、少なくとも内部に設けられた電子デバイスを稼動させる電力を供給するための電源を備えた筐体装置と、画面を表示する表示部と、前記筐体装置が初期状態となったことを検出する初期状態検出部と、前記初期状態検出部により前記筐体装置が初期状態となったことが検出されたときに、前記表示部に初期画面を表示させる表示制御部と、を備え、前記表示制御部は、前記初期画面の表示領域のうち少なくとも一部領域にユーザー設定選択リストを表示させる。
【手続補正２】
【補正対象書類名】特許請求の範囲
【補正対象項目名】全文
【補正方法】変更
【補正の内容】
【特許請求の範囲】
【請求項１】
ユーザー毎に各種パラメータの設定を登録する機能を有する内視鏡システムにおいて、
少なくとも内部に設けられた電子デバイスを稼動させる電力を供給するための電源を備えた筐体装置と、
画面を表示する表示部と、
前記筐体装置が初期状態となったことを検出する初期状態検出部と、
前記初期状態検出部により前記筐体装置が初期状態となったことが検出されたときに、前記表示部に初期画面を表示させる表示制御部と、
を備え、
前記表示制御部は、前記初期画面の表示領域のうち少なくとも一部領域にユーザー設定選択リストを表示させることを特徴とする内視鏡システム。
【請求項２】
前記表示部は、位置情報入力機能を有するタッチパッド部を備えることを特徴とする請求項１に記載の内視鏡システム。
【国際調査報告】
2017033858.tif 000024
2017033858.tif 000025
2017033858.tif 000026
2017033858.tif 000027